(57)【特許請求の範囲】
【請求項１】
回路が形成された基板を保持する基板保持部材と、前記基板保持部材が設置される基板設置部を有する設置部材と、遊技球が流下可能な遊技領域が前面側に形成された遊技領域形成部材の後側に前記設置部材が配設された遊技盤と、前記遊技盤が着脱可能に装着される本体枠と、前記本体枠の後側上部に位置すると共に上方に開口して球補給機構から補給された遊技球を貯留する球貯留部材とを備え、前記本体枠に前記遊技盤が装着された状態で前記設置部材が前記球貯留部材の下方に位置するよう構成された遊技機において、
前記基板は、配線のコネクタと接続されるコネクタ接続部が実装面に配置されると共に、該実装面とは反対側を向く端子面から前記コネクタ接続部の端子部が突出するように構成され、
前記基板保持部材は、前記実装面に対向する被覆板部と、前記被覆板部の外周縁から交差方向に延出して該基板の外周端面に対向する外周板部とを有し、前記被覆板部および前記外周板部の内側に前記基板を保持し得るように構成されると共に、固定手段により前記基板設置部に固定される被固定部が、前記外周板部における前記基板と反対側に位置するよう設けられ、
前記基板保持部材を前記基板設置部に設置した状態で、前記基板設置部から前記コネクタ接続部の端子部が離間した位置で前記端子面が前記基板設置部に対向すると共に、前記外周板部の延出端部が前記基板設置部の全周に亘って当接するように構成されると共に、
前記被覆板部は、前記基板の上縁部および下縁部において前記実装面に当接する第１被覆部と、当該第１被覆部の間に位置すると共に第１被覆部に連設され、基板の実装面から離間するよう後方へ膨出してコネクタ接続部とは別の電子部品の実装領域を覆う箱状の第２被覆部とを備え、
不正検出センサが接続されるコネクタ接続部を、前記基板において前記第２被覆部の上方に位置する第１被覆部側に集約して設けると共に、遊技制御基板に繋がる配線が接続されるコネクタ接続部を、当該基板において前記第２被覆部の下方に位置する第１被覆部側に設けるよう構成され、
前記基板設置部に設置した基板保持部材の上方に位置するよう前記不正検出センサに繋がる配線を挿通する配線挿通口が設けられ、
前記基板設置部に設置された前記基板保持部材の上面が、前記球貯留部材の下面に対向すると共に、前記基板保持部材の後端が前記球貯留部材の後端より前側に位置して、前記不正検出センサに繋がる配線が当該球貯留部材の後端より前側で前記基板のコネクタ接続部に接続するよう構成された
ことを特徴とする遊技機。
【請求項２】
前記基板設置部における前記基板保持部材が設置される壁面とは反対側に、遊技球を排出する球排出路部が設けられて、当該球排出路部にセンサを着脱可能なセンサ着脱部が設けられると共に、前記基板設置部において前記基板保持部材の下方位置に、前記球排出路部のセンサ着脱部に対応する位置にセンサ用挿通口が開設されると共に、当該センサ着脱部を塞ぐ蓋部材が前記センサ用挿通口に合わせて着脱可能に配設された請求項１記載の遊技機。
【発明の詳細な説明】
【技術分野】
【０００１】
本発明は、設置部材に基板を設置した遊技機に関するものである。
【背景技術】
【０００２】
遊技機の代表例の一つとしてのパチンコ機には、固定枠に開閉自在に組み付けられた本体枠に、パチンコ球が流下可能な遊技領域が形成された遊技盤が着脱自在に配設されている。遊技盤は、遊技領域が前面に形成された遊技領域形成部材の後側に設置部材が配設されており、設置部材の前面側には、球通路部材や各種センサ等の部材が取り付けられている。また、この設置部材の後面側には、制御基板等の複数の基板が設置されている(例えば、特許文献１)。
【先行技術文献】
【特許文献】
【０００３】
【特許文献１】特開２００９−２４０３４１号公報
【発明の概要】
【発明が解決しようとする課題】
【０００４】
ところで、パチンコ機は一般的に、基板の損傷や当該基板を狙った不正行為を防止するために、制御基板をボックス状の基板ケースに収容した上で設置部材に設置するようにしている。しかしながら、パチンコ機においては、大型の演出部品を収容可能な収容空間が設置部材に形成される等して当該設置部材における基板の設置スペースが制約を受けている現実がある。すなわち、パチンコ機等の遊技機においては、複数の基板を夫々基板ケースに収容した上で設置部材の適当な位置に配置することが極めて困難となっており、基板の設置に必要なスペースを抑制し得る構成が求められている。
【０００５】
そこで本発明は、従来の技術に内在する前記問題に鑑み、これらを好適に解決するべく提案されたものであって、基板の周囲を覆いつつ、当該基板の設置に必要なスペースを抑制可能な遊技機を提供することを目的とする。
【課題を解決するための手段】
【０００６】
前記課題を克服し、所期の目的を達成するため、本願請求項１に係る遊技機は、
回路が形成された基板(101)を保持する基板保持部材(81)と、前記基板保持部材(81)が設置される基板設置部(111)を有する設置部材(50)と、遊技球が流下可能な遊技領域(21)が前面側に形成された遊技領域形成部材(20a)の後側に前記設置部材(50)が配設された遊技盤(20)と、前記遊技盤(20)が着脱可能に装着される本体枠(12)と、前記本体枠(12)の後側上部に位置すると共に上方に開口して球補給機構から補給された遊技球を貯留する球貯留部材(19)とを備え、前記本体枠(12)に前記遊技盤(20)が装着された状態で前記設置部材(50)が前記球貯留部材(19)の下方に位置するよう構成された遊技機において、
前記基板(101)は、配線のコネクタと接続されるコネクタ接続部(CN)が実装面(KF)に配置されると共に、該実装面(KF)とは反対側を向く端子面(KR)から前記コネクタ接続部(CN)の端子部(TM)が突出するように構成され、
前記基板保持部材(81)は、前記実装面(KF)に対向する被覆板部(84A)と、前記被覆板部(84A)の外周縁から交差方向に延出して該基板(101)の外周端面に対向する外周板部(84A)とを有し、前記被覆板部(84A)および前記外周板部(84A)の内側に前記基板(101)を保持し得るように構成されると共に、固定手段により前記基板設置部(111)に固定される被固定部(88,89)が、前記外周板部(84A)における前記基板(101)と反対側に位置するよう設けられ、
前記基板保持部材(81)を前記基板設置部(111)に設置した状態で、前記基板設置部(111)から前記コネクタ接続部(CN)の端子部(TM)が離間した位置で前記端子面(KR)が前記基板設置部(111)に対向すると共に、前記外周板部(84A)の延出端部が前記基板設置部(111)の全周に亘って当接するように構成されると共に、
前記被覆板部(84A)は、前記基板(101)の上縁部および下縁部において前記実装面(KF)に当接する第１被覆部(86A)と、当該第１被覆部(86A)の間に位置すると共に第１被覆部(86A)に連設され、基板(101)の実装面(KF)から離間するよう後方へ膨出してコネクタ接続部(CN)とは別の電子部品の実装領域を覆う箱状の第２被覆部(87A)とを備え、
不正検出センサが接続されるコネクタ接続部(CN)を、前記基板(101)において前記第２被覆部(87A)の上方に位置する第１被覆部(86A)側に集約して設けると共に、遊技制御基板に繋がる配線が接続されるコネクタ接続部(CN)を、当該基板(101)において前記第２被覆部(87A)の下方に位置する第１被覆部(86A)側に設けるよう構成され、
前記基板設置部(111)に設置した基板保持部材(81)の上方に位置するよう前記不正検出センサに繋がる配線を挿通する配線挿通口(114)が設けられ、
前記基板設置部(111)に設置された前記基板保持部材(81)の上面が、前記球貯留部材(19)の下面(19c)に対向すると共に、前記基板保持部材(81)の後端が、前記球貯留部材(19)の後端より前側に位置して、前記不正検出センサに繋がる配線が当該球貯留部材(19)の後端より前側で前記基板(101)のコネクタ接続部(CN)に接続するよう構成されたことを要旨とする。
請求項１に係る発明によれば、基板設置部に基板保持部材の外周板部が当接した状態で、基板保持部材が基板における一方の基板面および外周端面を覆うと共に、他方の基板面を設置部材の基板設置部で覆うことにより、基板の損傷や当該基板に対する不正行為を抑止しつつ、基板の設置に必要となるスペースを抑制することができる。また、コネクタ接続部の端子部と基板設置部とが干渉しないように構成することにより、回路に対するコネクタ接続部の端子部の接続状態が悪化することがない。加えて、基板保持部材に基板を保持した状態で基板設置部に設置することにより、設置作業において基板の一方の基板面や外周端面を誤って損傷させることがなくなり、当該基板を容易に設置部材に設置できる。  また、基板保持部材の被固定部が外周壁部の延出端部から突出しないから、外周板部の全周を基板設置部に安定して当接させることができ、設置状態の基板保持部材の外側から基板にアクセスしようとする不正行為が達成されるのを防止できる。
また、球貯留部材から零れて落下した遊技球が強い衝突力で基板保持部材に接触するのを防ぐことができる。また、基板保持部材が球貯留部材から落下する遊技球と接触する可能性を小さくすることができる。すなわち、球貯留部材から落下する遊技球との接触に起因する基板保持部材の損傷を防止することができる。
更に、第２被覆部により作業者の視線が妨げられることなく不正検出センサに対応する全てのコネクタ接続部に対するコネクタの接続状態を容易に点検し得る。
【０００７】
請求項２に係る発明は、
前記基板設置部(111)における前記基板保持部材(81)が設置される壁面とは反対側に、遊技球を排出する球排出路部(117)が設けられて、当該球排出路部(117)にセンサを着脱可能なセンサ着脱部(117a)が設けられると共に、前記基板設置部(111)において前記基板保持部材(81)の下方位置に、前記球排出路部(117)のセンサ着脱部(117a)に対応する位置にセンサ用挿通口(115)が開設されると共に、当該センサ着脱部(117a)を塞ぐ蓋部材(118)が前記センサ用挿通口(115)に合わせて着脱可能に配設されたことを要旨とする。
請求項２に係る発明によれば、基板保持部材を基板設置部から取り外すことなく蓋部材を取り外すことで、センサ用挿通口を介してセンサ着脱部にセンサを着脱し得る。このとき、基板保持部材の下縁部側に第１被覆部が位置するよう構成してあるから、蓋部材やセンサの着脱作業に際して基板保持部材に手指が干渉することを防ぐことができる。
【０００８】
また、本願には次のような技術的思想が含まれている。
前記基板設置部(111)には、前記基板保持部材(81)が設置される壁面とは反対側の壁面に突出部(150)が設けられて、前記基板保持部材(81)の対向する一対の外周板部(84A)が当接する部位の壁面裏側の間を当該突出部(150)が横切るように延在するよう構成されたことを要旨とする。
この構成によれば、基板設置部における基板保持部材が設置される壁面とは反対側の壁面に、基板保持部材の対向する一対の外周板部が当接する部位の間を横切るように突出部を設けることにより、基板設置部の変形を防止して基板保持部材の外周板部が基板設置部に当接する状態を維持することができる。
【０００９】
また、本願には次のような技術的思想が含まれている。
前記基板設置部(111)には、前記基板保持部材(81)が設置される壁面とは反対側の壁面に突出部(150)が設けられて、前記基板設置部(111)に対向する部材との間に画成される空間(64)を突出部(150)により分断して、当該空間(64)への規定の不正部品の設置を防止するよう構成されたことを要旨とする。
この構成によれば、基板を保持した基板保持部材を基板設置部の一方面に設置した場合には、基板設置部の他方面側の視認性が基板(基板保持部材)により妨げられることが考えられる。これに対し、基板設置部における基板保持部材が設置される壁面とは反対側の壁面に突出部を設けることにより、当該反対側の壁面により画成される空間を分断して、当該空間が不正基板等の設置スペースとして利用されるのを防止することができる。また、突出部により基板設置部を補強することができるから、基板設置部において基板保持部材を安定して支持することができる。
【００１１】
また、本願には次のような技術的思想が含まれている。
遊技球が流下可能な遊技領域(21)が前面側に形成された遊技領域形成部材(20a)の後側に前記設置部材(50)が配設されると共に、前記設置部材(50)には、前記遊技領域形成部材(20a)の後面に交差する方向に延在する外周壁部(52)が設けられて、前記外周壁部(52)の内側に画成された収容空間に部材が収容され、
前記外周壁部(52)に前記基板設置部(111)が形成されて、前記基板保持部材(81)を前記基板設置部(111)に設置した状態で前記他方の基板面(KR)が前記外周壁部(52)に対向するよう構成されたことを要旨とする。
この構成によれば、設置部材の外周壁部に基板設置部を設けて基板保持部材を設置することで、設置部材の裏側にスペースを確保することができる。
【発明の効果】
【００１２】
本発明に係る遊技機によれば、基板の周囲を覆いつつ、当該基板の設置に必要なスペースを抑制することができる。
【図面の簡単な説明】
【００１３】
【図１】本発明の実施例に係るパチンコ機を示す斜視図であって、前枠を開放した状態を示す。
【図２】実施例に係る遊技盤を示す正面図である。
【図３】実施例に係るパチンコ機背面の要部拡大図である。
【図４】実施例に係る設置部材を示す背面側から見た斜視図であって、第１〜第３カバー体およびベース部材を分解した状態を示す。
【図５】図３のＡ−Ａ線の要部を拡大した断面図である。
【図６】図３のＢ−Ｂ線の要部を拡大した断面図である。
【図７】実施例に係る設置部材における第２基板設置部を拡大して示す背面図であって、(a)は、第２カバー体およびベース部材を取り外した状態を示し、(b)は、第２カバー体を取り付けた状態を示し、(c)は、第２カバー体およびベース部材を取り付けた状態を示す。
【図８】図３のＣ−Ｃ線の要部を拡大した断面図である。
【図９】図３のＤ−Ｄ線の要部を拡大した断面図である。
【図１０】図３のＥ−Ｅ線の要部を拡大した断面図である。
【発明を実施するための形態】
【００１４】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口内側に、遊技盤２０が着脱可能に配設される本体枠としての中枠１２が前側から組み付けられて、外枠に対して中枠１２が開閉し得るように構成されている。また、前記中枠１２の前面側には、前記遊技盤２０の遊技領域２１と対応する位置に視認口１３ａが開口する装飾枠としての前枠１３が開閉可能に組み付けられている。そして、前枠１３には、ガラス板や透明な合成樹脂板で形成された透視保護板(図示せず)が視認口１３ａを覆うよう配設されており、遊技盤２０を前側から目視可能な状態で保護している。また、実施例の前枠１３には、上下の位置関係で２つの球受け皿１４(図１には上側の球受け皿のみ図示)が組み付けられており、上下の球受け皿１４に所定数のパチンコ球を貯留し得るようになっている。また、前記中枠１２の右下方位置には、該中枠１２に配設された球発射装置(図示せず)を作動する操作ハンドル１６が設けられており、当該操作ハンドル１６を遊技者が操作することで打球発射装置１８が作動されて、前記上側の球受け皿１４に貯留されたパチンコ球が前記遊技盤２０に向けて発射されるようになっている。なお、前記上下の球受け皿１４の一方および両方を、前枠１３とは個別に中枠１２に組み付けるようにしてもよい。また、中枠１２や前枠１３に、１つの球受け皿のみを備える構成とすることもできる。
【００１６】
図１、図３、図５、図１０に示すように、前記パチンコ機１０(実施例では中枠１２)の後面上部には、パチンコ球を貯留可能な球貯留部材１９が配設されている。球貯留部材１９は、外枠１１より後側に位置して上方に開口する箱状の球タンク１９ａと、該球タンク１９ａの傾斜下端側(実施例では図３の右下端部側)に接続されてパチンコ球を一列に整列させる球整流部１９ｂとを備え、遊技店の図示しない球補給機構から補給されたパチンコ球を球タンク１９ａの底面上で受けるように構成されている。そして、球貯留部材１９における球整流部１９ｂの傾斜下端部に接続する球通路１７が前記球受け皿１４に連通するよう構成されると共に、当該球通路１７の経路途中に球払出装置(図示せず)が配設されており、当該球払出装置が作動することで球貯留部材１９(球タンク１９ａ)に貯留されたパチンコ球が球受け皿１４に供給されるようになっている。なお、実施例では、球貯留部材１９を中枠１２の後側上部に配設しているが、球貯留部材１９が中枠１２の後側上部に位置するように該球貯留部材１９を外枠１１に配設してもよい。
【００１７】
(遊技盤２０について)
図２に示すように、前記遊技盤２０は、パチンコ球が流下可能な遊技領域２１が前面側に形成された板部材(遊技領域形成部材)２０ａと、該板部材２０ａの裏側に配設されて当該板部材２０ａとの間に収容空間６０を画成する設置部材(収容空間画成部材)５０とを備えており、これら板部材２０ａおよび設置部材５０を取付対象として各種の部材が取り付けられている。前記板部材２０ａは、合成樹脂材やベニヤ材等から所定板厚の略矩形状に形成されており、前面(盤面)に配設された略円形状のレール部材２２によりパチンコ球が流下可能な遊技領域２１が画成されて、前記打球発射装置１８から発射されたパチンコ球が遊技領域２１に打ち出されるよう構成されている。また、前記板部材２０ａには、パチンコ球の流下方向に変化を与える複数の遊技釘２５や風車とも称される回転案内部材２６が前記遊技領域２１の適宜位置に設けられており、遊技領域２１を流下するパチンコ球が遊技釘２５や回転案内部材２６に接触することによりパチンコ球の流下方向が不規則に変化するよう構成されている。そして、前記遊技盤２０の板部材２０ａにおいて前記遊技領域２１の最下部位置に、パチンコ球を遊技領域２１の外側に排出するためのアウト口２３が開設されている。
【００１８】
また、図２に示すように、前記遊技盤２０(板部材２０ａ)には、前後に貫通する図示しない装着口が前記遊技領域２１内の適宜位置に開設されて、各装着口に対して各種の遊技盤設置部品が配設されている。なお、実施例の遊技盤２０には、遊技盤設置部品として演出装置３０や各種入賞部(始動入賞部４２、普通入賞部４３,４４等)を設置する装着口が形成されている。ここで、実施例の前記板部材２０ａには、前記レール部材２２で囲まれた前記遊技領域２１の略中央にセンター役とも称される演出装置３０が配設されて、当該演出装置３０に、表示演出を実行可能な表示部３１が遊技盤２０の前側から視認可能に設けられている。また、前記演出装置３０には、開閉部材４１ａにより入賞口４１ｂを遊技領域２１に対して開閉する可変入賞部４１が設けられている。すなわち、前記開閉部材４１ａが入賞口４１ｂを遊技領域２１に対して開口することで、当該遊技領域２１を流下するパチンコ球の入賞口４１ｂへの入賞が許容され、開閉部材４１ａが入賞口４１ｂを遊技領域２１に対して閉鎖することで、当該遊技領域２１を流下するパチンコ球の入賞口４１ｂへの入賞が阻止されるよう構成されている。なお、前記可変入賞部４１の入賞口４１ｂは、前記演出装置３０の左右上部位置に設けられて、各入賞口４１ｂに対応して設けられた開閉部材４１ａにより開閉されるようになっている。また、前記演出装置３０には、前後に開口する窓口３５が設けられており、前記設置部材５０に配設された動作演出を実行可能な可動演出装置(図４参照)が当該窓口３５介して遊技盤２０の前側から視認可能に構成されている。なお、前記演出装置３０は、前記板部材２０ａの候補に突出して、前記設置部材５０の第１収容部５４で画成された第１空間部６１(何れも後述)に収容されるようになっている。
【００１９】
また、図２に示すように、前記板部材２０ａには、前記遊技領域２１における前記演出装置３０の下方位置に、複数(実施例では、３つ)の始動入賞部４２および複数(実施例では、２つ)の第１の普通入賞部４３を有する複合入賞装置３３が配設され、当該演出装置３０を挟む左右両側方に、所定数(実施例では１つずつ)の第２の普通入賞部４４が配設されている。なお、実施例の複合入賞装置３３には、左右方向に離間して３つの始動入賞部４２が設けられると共に、左右両端に位置する始動入賞部４２よりも左右の側方に前記第１の普通入賞部４３が１つずつ設けられている。前記始動入賞部４２は、前記遊技領域２１内において入賞口４２ａが上方へ開口するよう構成されており、当該遊技領域２１を流下するパチンコ球が所定の確率で入賞口４２ａに入賞し得るようになっている。そして、始動入賞部４２の入賞口４２ａにパチンコ球が入賞することを契機として、前記可変入賞部４１の開閉部材４１ａが開放作動されるようになっている。また、前記第１および第２の普通入賞部４３,４４は、前記遊技領域２１内において入賞口４３ａ,４４ａが上方へ開口するよう構成されており、当該遊技領域２１を流下するパチンコ球が所定の確率で入賞口４３ａ,４４ａに入賞し得るようになっている。すなわち、始動入賞部４２および普通入賞部４３は、パチンコ球の入賞確率が変化しない固定入賞部である。
【００２０】
なお、前記遊技盤２０に設けられた前記入賞部(可変入賞部４１、始動入賞部４２、普通入賞部４３,４４)の入賞口４１ｂ,４２ａ,４３ａ,４４ａに入賞したパチンコ球は、入賞部４１,４２,４３,４４の種類に応じて設けられた入賞検出センサによって検出されるようになっている。なお、図５、図８に第２の普通入賞部４４に入賞したパチンコ球を検出する入賞検出センサＳＥのみ図示してある。前記各入賞検出センサは、遊技制御基板(図示せず)に配線接続されており、入賞検出センサからのパチンコ球の検出信号の入力を条件として、遊技制御基板が賞球数の情報を含む賞球コマンドを払出制御基板(図示せず)に送信するようになっている。そして、払出制御基板が賞球コマンドに基づいて前記球払出装置を駆動制御することで、入賞が発生した入賞口４１ｂ,４２ａ,４３ａ,４４ａの種類に応じて定められた個数のパチンコ球を賞球として払い出するようになっている。また、遊技制御基板は、始動入賞部４２に対応する入賞検出センサからの検出信号の入力を条件として当り判定を実行し、当該当り判定の結果が当りとなる判定結果となった場合に、遊技制御基板が前記開閉部材４１ａを作動制御して可変入賞部４１の入賞口４１ｂをパチンコ球が入賞し得る状態に変化させるようになっている。ここで、当り判定の結果が特定の当りとなる判定結果となった場合には、遊技制御基板が特別の開閉態様で入賞口４１ｂを開放するよう前記開閉部材４１ａを作動制御することで特別遊技が行われ、多数の賞球を獲得し得る機会を遊技者に付与するよう構成されている。また、遊技制御基板は、前記当り判定の判定結果に基づいて決定したコマンドを演出制御基板に送信して、当該パターンコマンドに基づいて演出制御基板が前記表示部３１の表示を制御することで、当り判定の結果を判別可能な演出が前記表示部３１に表示されるようになっている。なお実施例では、後述する第３基板１０３が演出制御基板とされている。
【００２１】
(設置部材５０について)
図３、図４に示すように、前記設置部材５０は、前記板部材２０ａの後面の略全体を覆う大きさで前方に開口する箱状に形成されている。前記設置部材５０には、外郭を形成する外周壁部５２の前端部の複数箇所に、前記板部材２０ａの後面に沿って延在する固定片５３が形成されており、当該固定片５３に形成された挿通孔５３ａに後方から挿通した固定手段としての固定ネジを板部材２０ａに螺挿することで、当該外周壁部５２の前端部を板部材２０ａの後面に当接した状態で設置部材５０が固定されて、板部材２０ａと設置部材５０との間に前記収容空間６０が画成されるようになっている。
【００２２】
ここで、前記設置部材５０は、図４に示すように、前記板部材２０ａの後面に対向する壁部を形成して回路が形成された基板(後述する第１基板１０１、第２基板１０２)を保持するカバー体(基板保持部材)８１,８２(後述)が着脱可能に設置される基板設置部１１１,１２１と、当該基板設置部１１１,１２１より後方に突出するよう形成されると共に前方へ開口する箱状に形成された所定数(実施例では３つ)の収容部５４,５５,５６とを備えており、当該基板設置部１１１,１２１および板部材２０ａの間に画成される空間部６４,６５および収容部５４,５５,５６の前面内側に画成される空間部６１,６２,６３により前記収容空間６０が形成されるようになっている。具体的に、実施例の設置部材５０には、前記板部材２０ａに配設された演出装置３０や可動演出装置３２を収容する第１空間部６１を画成する収容部(以下、第１収容部という)５４と、当該第１収容部５４の下方に位置して前記複合入賞装置３３を収容する第２空間部６２を画成する収容部(以下、第２収容部という)５５と、当該第１収容部５４の上方に位置して不正検出センサ(図示せず)を収容する第３空間部６３を画成する収容部(以下、第３収容部という)５６とが設けられている。なお、収容部の形成数は、３つに限られるものでなく、必要に応じて形成し得ることは当然である。
【００２３】
図４に示すように、前記第１および第３収容部５４,５６は、前記設置部材５０の左右方向の中央側に位置するよう設けられて、当該第１および第３収容部５４,５６の左右側方に基板設置部１１１,１２１が位置すると共に、前記第２収容部５５は、当該設置部材５０の左右方向の略全幅に亘って位置するよう設けられて、当該第２収容部５５の上方に基板設置部１１１,１２１が位置するよう構成されている。そこで、以下の説明では、実施例の設置部材５０において前記第１収容部５４の左右一方側(図３における右側)に位置する基板設置部を第１基板設置部１１１と指称すると共に、当該第１基板設置部１１１に設置されて第１基板１０１を保持するカバー体を第１カバー体８１と指称して区別する場合がある。同様に、実施例の設置部材５０において前記第１収容部５４の左右他方側(図３における左側)に位置する基板設置部を第２基板設置部１２１と指称すると共に、当該第２基板設置部１２１に設置されて第２基板１０２を保持するカバー体を第２カバー体(第１の基板保持部材)８２と指称して区別する場合がある。また、実施例の設置部材５０には、前記第２基板設置部１２１に設置される第２カバー体８２の後方に、当該第２カバー体８２に対して前後重なるようにベース部材１３１(図４，図８〜図１０参照)が着脱可能に配設されると共に、当該ベース部材１３１に対して第３基板(基板、制御基板)１０３を内部に収容保持した第３カバー体(第２の基板保持部材)８３が着脱可能に設置されている。なお、実施例では、前記第１および第２収容部５４,５５は、各収容部５４,５５により画成される空間部６１,６２が上下に連通するようになっており、前記演出装置３０の下部が部分的に第２空間部６２に収容されるよう構成してある。
【００２４】
ここで、図４に示すように、前記第１収容部５４には、前記板部材２０ａに対向する後壁部５４ａにおいて前記演出装置３０の後方位置に、前後に開口する開口部５４ｂが形成されており、当該開口部５４ｂを介して演出装置３０の後部が第１収容部５４の後方に露出するよう構成されている。すなわち、前記板部材２０ａと設置部材５０とを分解することなく、前記第１収容部５４の開口部５４ｂを介して、前記第１空間部６１に収容された演出装置３０(可変入賞部４１)の駆動機構等のメンテナンスを行い得るようになっている。また、前記第２収容部５５には、前記複合入賞装置３３に設けられた始動入賞部４２の間に位置するように不正検出センサ(図示せず)が前記第２空間部６２内に夫々配設されており、当該始動入賞部４２を狙った不正行為を不正検出センサで検出し得るよう構成されている。なお、実施例のパチンコ機１０は、前記不正検出センサとして磁気を検出する磁気検出センサや電波を検出する電波検出センサ、振動を検出する振動検出センサを備えており、磁気センサ、電波検出センサおよび振動検出センサの夫々が前記第２収容部５５の第２空間部６２に収容されると共に、第３収容部５６の第３空間部６３には磁気検出センサが収容されるようになっている。
【００２５】
(第１基板１０１、第２基板１０２および第３基板１０３について)
次に、図４〜図１０を参照して、実施例の設置部材５０に配設される前記第１基板１０１、第２基板１０２および第３基板１０３の構成の構成について説明する。前記第１〜第３基板１０１,１０２,１０３は、一方の基板面(以下、実装面ＫＦと指称する)に電子部品が集約的に実装され、この実装面ＫＦに実装された電子部品の端子(端子部)ＴＭが他方の基板面(以下、端子面ＫＲと指称する)から突出するよう構成されている(図５参照)。具体的に、前記第１〜第３基板１０１,１０２,１０３の実装面ＫＦには、他の基板等の部品に繋がる配線のコネクタが接続されるコネクタ接続部ＣＮが実装されるほか、コンデンサや抵抗器、ＩＣチップ等の部品が基板の種類や用途に応じて適宜に配設されている。なお、各図において、コネクタ接続部ＣＮ以外の電子部品の図示を省略してある。そして、第１〜第３基板１０１,１０２,１０３の夫々における適宜に、複数の孔部１０５が厚み方向に貫通形成されており、各カバー体８１,８２,８３に形成された位置決めピン部９２を、対応する基板１０１,１０２,１０３の孔部１０５に嵌入することで、各基板１０１,１０２,１０３がカバー体８１,８２,８３と位置決めされると共に、各基板１０１,１０２,１０３の別の孔部１０５に挿通した固定ネジを、対応するカバー体８１,８２,８３に形成された基板用固定部９１に螺挿することで、基板１０１,１０２,１０３がカバー体８１,８２,８３に固定されるようになっている。なお、図６に第１カバー体８１の基板用固定部９１および位置決めピン部９２と、第１基板１０１の孔部１０５の一部を図示してある。
【００２６】
前記第１基板１０１は、前記遊技制御基板と、前記不正検出センサおよび前記入賞検出センサとを中継接続するよう構成されており、遊技制御基板、複数の不正検出センサおよび前記入賞検出センサに繋がる各配線のコネクタが接続される複数のコネクタ接続部ＣＮが配設されている。具体的に、前記第１基板１０１の実装面ＫＦには、前記不正検出センサおよび入賞検出センサに繋がる配線のコネクタに対応するコネクタ接続部ＣＮが上縁部に集約して実装されると共に、前記遊技制御基板に繋がる配線のコネクタに対応するコネクタ接続部ＣＮが下縁部に実装されている。また、前記第２基板１０２は、前記遊技制御基板と第３基板(前記演出制御基板)１０３とを中継接続する演出制御用中継基板であり、遊技制御基板および第３基板１０３に繋がる各配線のコネクタが接続される複数のコネクタ接続部ＣＮが配設されている。この第２基板１０２には、第１基板１０１と較べて大容量のコンデンサや抵抗器等の発熱量が大きい電子部品が多く配設されており、該電子部品の温度上昇を防ぎ得る環境下に設ける必要性が高い構成となっている。更に、前記第３基板１０３は、前記演出装置３０の表示部３１や、遊技盤２０に配置された装飾用の発光体基板(図示せず)を制御するよう構成されており、第２基板１０２、表示部３１および発光体基板に繋がる各配線のコネクタが接続される複数のコネクタ接続部ＣＮが配設されている。なお、各基板１０１,１０２,１０３の各コネクタ接続部ＣＮは、配線のコネクタが接続される接続口が実装面ＫＦから離間する方向(鉛直方向)を向くように配設されている。
【００２７】
(カバー体８１,８２,８３について)
図５、図６に示すように、前記第１カバー体８１は、前記第１基板１０１の実装面ＫＦを被覆する被覆板部８４Ａと、当該被覆板部８４Ａの外周縁に連設して第１基板１０１の外周端面に対向する外周板部８５Ａとから全体が一方(具体的には第１基板設置部１１１側)に開口する箱状に形成されて、内側の空間内に第１基板１０１を保持し得るように構成されている。前記被覆板部８４Ａは、前記コネクタ接続部ＣＮが実装された第１基板１０１の実装面ＫＦに当接する第１被覆部８６Ａと、当該第１被覆部８６Ａに連設されると共に第１基板１０１の実装面ＫＦから離間するよう後方へ膨出して前方へ開口する箱状の第２被覆部８７Ａとから構成されて、当該第２被覆部８７Ａによりコネクタ接続部ＣＮとは別の電子部品の実装領域が覆われるようになっている。すなわち、前記第１被覆部８６Ａは、前記第１基板１０１の実装面ＫＦの上縁部および下縁部に対応して設けられて、前記第２被覆部８７Ａは、第１被覆部８６Ａの間に位置するよう設けられている。
【００２８】
そして、図５に示すように、前記第１カバー体８１における上下の第１被覆部８６Ａに、前記コネクタ接続部ＣＮの配設位置に対応して接続用開口９０Ａが形成されており、当該接続用開口９０Ａを介してコネクタ接続部ＣＮが第１カバー体８１の外側に露出するようになっている。ここで、前述したように、前記第１基板１０１における実装面ＫＦの上縁部に実装されたコネクタ接続部ＣＮに不正検出センサに繋がる全ての配線が接続される。すなわち、不正検出センサが接続される第１基板１０１のコネクタ接続部ＣＮを、前記第１カバー体８１において後方へ突出する第２被覆部８７Ａの上側に位置する第１被覆部８６Ａ側に集約して設けることで、当該第２被覆部８７Ａにより作業者の視線が妨げられることなく不正検出センサに対応する全てのコネクタ接続部ＣＮに対するコネクタの接続状態を容易に点検し得るようになっている。なお、実施例の第１カバー体８１には、上側の第１被覆部８６Ａに接続用開口９０Ａが１つ設けられて、不正検出センサが接続される全てのコネクタ接続部ＣＮが同じ接続用開口９０Ａに挿通されるように構成されているが、各コネクタ接続部ＣＮの個々に対応するよう設けてもよい。
【００２９】
また、図４および図５に示すように、前記第１カバー体８１には、当該第１カバー体８１の上面および下面を形成する外周板部８５Ａに、前記第１基板設置部１１１に対する固定手段８８,８９が形成されている。すなわち、前記第１カバー体８１の下面を形成する外周板部８５Ａに、前記固定手段を構成する係合突部８８が下方に突出するよう設けられると共に、当該第１カバー体８１の上面を形成する外周板部８５Ａに、前記固定手段を構成する被固定部８９が上方に突出するよう設けられている。ここで、前記係合突部８８は、前記第１カバー体８１の外周板部８５Ａの前端部(延出端部)に形成されており、前記第１基板設置部１１１に設けた係合受部１１３(後述)の差込口１１３ａに係合突部８８を上方から差込係合することで、第１カバー体８１の下部位置を第１基板設置部１１１に対して固定し得るようになっている。そして、前記被固定部８９は、前記第１カバー体８１の外周板部８５Ａの後端部に、左右に離間する複数箇所(実施例では２箇所)に設けられると共に、被固定部８９の夫々に、前後に貫通する挿通孔８９ａが形成されており、当該挿通孔８９ａに後方から挿通した固定ネジを前記第１基板設置部１１１に設けた第１カバー用固定部１１２(後述)に螺挿することで、第１カバー体８１の上部位置を第１基板設置部１１１に対して固定し得るようになっている。また、前記被固定部８９の前面には、前記第１基板設置部１１１の第１カバー用固定部１１２を嵌合可能な嵌合凹部８９ｂが形成されており、当該嵌合凹部８９ｂに第１カバー用固定部１１２を嵌合することで、前記挿通孔８９ａが第１カバー用固定部１１２のネジ孔に整列するようになっている。
【００３０】
前記第２カバー体８２は、図４、図８〜図１０に示すように、前述した第１カバー体８１と同様に、一方に開口する箱状に形成されて、内側の空間内に第２基板１０２を保持し得るように構成されている。すなわち、前記第２カバー体８２は、前記第２基板１０２の実装面ＫＦを被覆する被覆板部８４Ｂと、当該被覆板部８４Ｂの外周縁に連設して第２基板１０２の外周端面に対向する外周板部８５Ｂとから構成されている。前記被覆板部８４Ｂは、前記コネクタ接続部ＣＮが実装された第２基板１０２の実装面ＫＦに当接する第１被覆部８６Ｂと、当該第１被覆部８６Ｂに連設されると共に第２基板１０２の実装面ＫＦから離間するよう後方へ膨出して前方へ開口する箱状の第２被覆部８７Ｂとから構成されて、当該第２被覆部８７Ｂにより第２基板１０２に実装されたコネクタ接続部ＣＮとは別の電子部品の実装領域が覆われるようになっている。なお、第２カバー体８２では、前記第２基板１０２の実装面ＫＦの下縁部に対応して前記第１被覆部８６Ｂが設けられて、当該第１被覆部８６Ｂに、第２基板１０２のコネクタ接続部ＣＮを外部に露出する接続用開口９０Ｂが形成されている。また、前記第２カバー体８２には、第２基板１０２の実装面ＫＦに対向する第２被覆部８７Ｂおよび上面を形成する外周板部８５Ｂに放熱孔８２ａが形成されると共に、当該第２カバー体８２の外周板部８５Ｂと第２基板１０２の外周端面との間に間隙Ｓが画成されるよう構成されており、当該放熱孔８２ａや間隙Ｓを介して第２カバー体８２の内外での空気循環を行い得るようになっている。ここで、前記間隙Ｓは、第２基板１０２の外周端面の全周に亘って画成されており、第２カバー体８２の内外の空気循環の効率を高めている。
【００３１】
ここで、図９に示すように、前記第２カバー体８２は、前記外周板部８５Ｂの一面を前記第２基板設置部１２１に向けた姿勢で取り付けられるよう構成される。すなわち、前記第２カバー体８２には、前記被覆板部８４Ｂ(第２被覆部８７Ｂ)と、上面および下面を形成する外周板部８５Ａに前記第２基板設置部１２１に対する固定手段９５が形成されている。具体的には、前記第２カバー体８２における前記被覆板部８４Ｂ(第２被覆部８７Ｂ)および上下面を形成する外周板部８５Ｂの前端部(第２基板設置部１２１側の端部)の夫々に、各板部８４Ｂ,８５Ｂから外方へ突出するよう固定手段としての被固定部９５が形成されている。前記第２カバー体８２の被固定部９５は、前後に貫通する挿通孔９５ａが形成されており、当該挿通孔９５ａに後方から挿通した固定ネジを前記第２基板設置部１２１に設けた第２カバー用固定部１２２(後述)に螺挿することで、第２カバー体８２の上下および中間位置を第２基板設置部１２１に対して固定し得るようになっている。また、前記被固定部９５の前面には、前記第２基板設置部１２１の第２カバー用固定部１２２を嵌合可能な嵌合凹部９５ｂが形成されており、当該嵌合凹部９５ｂに第２カバー用固定部１２２を嵌合することで、前記挿通孔９５ａが第２カバー用固定部１２２のネジ孔に整列するようになっている。これにより、第２カバー体８２は、前記第２基板設置部１２１に第２基板１０２の外周板部８５Ｂが当接して、前記第２基板１０２の実装面ＫＦが設置部材５０の側方に向く姿勢(以下単に横向き姿勢という)で設置し得るように構成される。
【００３２】
また、前記第３カバー体８３は、図９に示すように、前記第３基板１０３の実装面ＫＦを被覆する第１ケース部９７と、該第３基板１０３の端子面ＫＲを被覆する第２ケース部９８とを備え、当該第１ケース部９７および第２ケース部９８を組み付けることで、第３基板１０３の実装面ＫＦおよび端子面ＫＲの両面を覆う箱状に形成されている。なお、前記第３基板１０３のコネクタ接続部ＣＮは、前記第１ケース部９７の接続用開口(図示せず)を介して外部に露出するようになっている。すなわち、前記表示部３１等の演出制御を実行する第３基板１０３には、コネクタ接続部ＣＮ以外の電子部品として演出制御用ＩＣ等が配設されていることから、実装面ＫＦおよび端子面ＫＲの両面を覆う箱状の第３カバー体８３によってコネクタ接続部ＣＮを除く第３基板１０３の全体を覆うことで、当該演出制御用ＩＣ等を狙った不正行為を防ぐようになっている。
【００３３】
(カバー体８１,８２,８３の取付構造について)
次に、前記設置部材５０に対する第１カバー体８１、第２カバー体８２および第３カバー体８３の取付構造に関して説明する。
【００３４】
(第１基板設置部１１１について)
図４〜図６に示すように、前記第１基板設置部１１１は、前記板部材２０ａの後面に対して個法に離間した位置で対向する平板状に形成されて、当該第１基板設置部１１１の前面と板部材２０ａの後面との間に前記収容空間６０の一部としての空間部(以下、第１の設置前空間部という)６４が画成されている。この第１の設置前空間部６４は、前記設置部材５０の前側で前記第１〜第３空間部６１〜６３に連通すると共に、当該第１〜第３空間部６１〜６３と較べて前後寸法が小さく形成される。
【００３５】
そして、図４に示すように、前記第１基板設置部１１１の後面には、前記第１カバー体８１を固定する固定手段１１２,１１３が形成されている。すなわち、前記第１基板設置部１１１の下部位置に、前記固定手段を形成する係合受部１１３が形成されると共に、当該第１基板設置部１１１の上部位置に、固定手段を形成する第１カバー用固定部１１２が形成されている。ここで、前記係合受部１１３は、前記第１収容部５４の側方(具体的には、図３における右側方)に設けられ、前記第１カバー用固定部１１２は、前記第３収容部５６の側方(具体的には、図３における右側方)に設けられている。すなわち、前記第１カバー体８１は、前記第１収容部５４および第３収容部５６の側方(右側方)に離間する位置に前記第１基板設置部１１１に配設されて、当該第１カバー体８１の上面が前記球貯留部材１９の下面１９ｃに対して対向するようになっている。
【００３６】
前記係合受部１１３は、図４、図５に示すように、前記第１基板設置部１１１から後方へ突出すると共に、上方に開口するよう差込口１１３ａが形成されており、当該差込口１１３ａを介して係合受部１１３の上方から前記第１カバー体８１の係合突部８８を差込み得るようになっている。なお、前記差込口１１３ａの前側の開口縁部は、前記第１基板設置部１１１の形成位置に形成され、前記係合突部１１３を第１基板設置部１１１の後面に沿って差込口１１３ａに挿入し得ると共に、第１カバー体８１の外周壁部８５Ａの延出端部(前端部)を第１基板設置部１１１に当接させ得るようになっている。そして、前記第１カバー用固定部１１２は、前記係合受部１１３に係合突部８８を差込係合した状態で、前記第１カバー体８１の各被固定部８９(嵌合凹部８９ｂ)と前後に整列する位置に、前記第１基板設置部１１１の後面から後方へ突出するよう左右に離間した２箇所に設けられている。
【００３７】
すなわち、前記第１カバー体８１の係合突部８８を第１基板設置部１１１の係合受部１１３に差込係合した状態で、当該第１カバー体８１の前記被固定部８９に設けた嵌合凹部８９ｂに当該第１基板設置部１１１の第１カバー用固定部１１２を嵌合することにより、第１基板設置部１１１に対して第１カバー体８１を仮止めし得るようになっており、仮止めしたもとで被固定部８９の挿通孔８９ａに後側から挿通した固定ネジを第１カバー用固定部１１２に螺挿することで、第１カバー体８１が第１基板設置部１１１に設置される。そして、前記第１カバー体８１を前記第１基板設置部１１１に設置した状態では、前記第１基板１０１の実装面ＫＦが後方を向くと共に、端子面ＫＲが第１基板設置部１１１側を向くようになっている。ここで、図５、図６に示すように、前記第１カバー体８１の外周板部８５Ａは、前記第１基板１０１の端子面ＫＲに対する端子ＴＭよりも第１基板設置部１１１側に全周の延出端部が位置するよう形成されると共に、当該外周板部８５Ａの全周の延出端部が同じ平面上に位置するよう構成されている。すなわち、第１カバー体８１を第１基板設置部１１１に設置した際に、端子面ＫＲから突出する前記コネクタ接続部ＣＮ等の電子部品の端子ＴＭが第１基板設置部１１１から離間した位置で端子面ＫＲが第１基板設置部１１１に対向すると共に、当該第１カバー体８１の外周板部８５Ａの延出端部が第１基板設置部１１１に対し全周に亘って当接するようになっている。
【００３８】
ここで、前記第１基板設置部１１１の前側に形成される前記第１の設置前空間部６４は、図５に示すように、前記演出装置３０の左側方に配設した前記第２の普通入賞部４４に連通する球排出路部１１７を配設可能な前後寸法に形成されている。すなわち、前記第１基板設置部１１１は、前記球排出路部１１７の通路幅分だけ前記板部材２０ａの後面から離間する位置に形成されている。すなわち、前記第１カバー体８１が配設される前記第１基板設置部１１１を、前記板部材２０ａの後面に近接するよう位置させることで、第１基板設置部１１１に設置される前記第１カバー体８１の後端が、前記球貯留部材１９の後端より前側に位置するように構成され、当該球貯留部材１９から零れ落ちたパチンコ球が第１カバー体８１に接触しないよう構成されている。
【００３９】
また、前記第１基板設置部１１１の前面(第１カバー体８１が設置される壁面とは反対側の壁面)には、図５および図６に示すように、前記板部材２０ａへ向けて突出する突出部１５０が設けられている。具体的には、前記第１基板設置部１１１の前面には、左右方向に延在する第１突壁１５１が上下に離間して複数設けられると共に、上下方向に延在する第２突壁１５２が左右に離間して複数設けられて、当該第１および第２突壁１５１,１５２により一体的な格子状の壁を形成している。このように、前記第１の設置前空間部６４は、突出部１５０(第１突壁１５１や第２突壁１５２)により格子状の小さな空間に分断するよう構成されており、第１の設置前空間部６４に所定の不正部品が設置されるのを防いでいる。
【００４０】
すなわち、前記第１基板設置部１１１に形成された突出部１５０は、第１の設置前空間部６４を小さな領域に分割することで、所定サイズの不正部品が、第１の設置前空間部６４へ設置されるのを防止すべく機能する。ここで、不正部品は、例えば、前記可変入賞部４１や始動入賞部４２を誤作動させたり、予め設定された制御条件とは異なった制御条件で前記遊技制御基板に制御を実行させるために調製された基板や装置、器具等を指している。また、前記突出部１５０により空間を分割するとは、不正行為を実行するために必要となる不正部品の大きさを想定して、この想定した不正部品が設置し得ない空間に前記第１の設置前空間部６４を分断または区分けすることを意味する。換言すれば、突出部１５０の設置態様は、想定された不正部品が設置不能なスペースを画成するように適宜設定される。
【００４１】
また、前記突出部１５０は、少なくとも１つの突壁１５１,１５２が、第１カバー体８１の設置範囲を第１基板設置部１１１の前側で横切るように構成されており、これにより第１基板設置部１１１における第１カバー体８１の設置範囲(すなわち、第１カバー体８１が後方から対向する範囲)が補強されて、該第１カバー体８１を第１基板設置部１１１に安定して支持し得るようになっている。具体的には、突出部１５０は、少なくとも１つの突壁１５１が、第１カバー体８１の左右に対向する外周板部８５Ａが当接する部位の壁面裏側(前面側)の間を横切るように設けられると共に、少なくとも１つの第２突壁１５２が、第１カバー体８１の上下に対向する外周板部８５Ａが当接する部位の壁面裏側(前面側)の間を横切るように設けられている。実施例では、前記第１カバー体８１の設置範囲の前方全体に突出部１５０が位置するように設けられている。
【００４２】
また、前記第１基板設置部１１１には、図４に示すように、前記第１カバー体８１(第１基板１０１)の設置範囲の周囲に、前後に貫通するセンサ用挿通口１１５および複数の配線挿通口１１４が形成されている。上側の配線挿通口１１４は、前記第３空間部６３に収容された不正検出センサに繋がる配線を第１基板設置部１１１の後側に引き出し得るように、前記第１カバー体８１(第１カバー用固定部１１２)の上方に形成されている。下側の配線挿通口１１４は、前記第２空間部６２に収容された不正検出センサに繋がる配線を第１基板設置部１１１の後側に引き出し得るように、前記第１収容部５４と第１カバー体８１の間に形成されている。また、前記第１基板設置部１１１において、前記第１カバー体８１の下方位置には、前記球排出路部１１７に設けられたセンサ着脱部１１７ａの後方位置に、前後に開口する前記センサ用挿通口１１５が開設されると共に、当該センサ着脱部１１７ａを塞ぐ蓋部材１１８がセンサ用挿通口１１５に合わせて着脱可能に配設されている。すなわち、前記第１カバー体８１を第１基板設置部１１１から取り外すことなく、蓋部材１１８を取り外すことで開口する前記センサ用挿通口１１５を介して前記センサ着脱部１１７ａに入賞検出センサを着脱し得るようになっている。このとき、前記第１カバー体８１の下部位置に前記第１被覆部８６Ａが位置するよう構成してあるから、蓋部材１１８や入賞検出センサの着脱作業に際して第１カバー体８１に手指が干渉することを防ぐことができる。
【００４３】
(第２基板設置部１２１について)
図４，図７〜図１０に示すように、前記第２基板設置部１２１は、前記板部材２０ａの後面に対して個法に離間した位置で対向する平板状に形成されて、当該第２基板設置部１２１の前面と板部材２０ａの後面との間に前記収容空間６０の一部としての空間部(以下、第２の設置前空間部という)６５が画成されている。この第２の設置前空間部６５は、前記設置部材５０の前側で前記第１〜第３空間部６１〜６３に連通すると共に、当該第１〜第３空間部６１〜６３と較べて前後寸法が小さく形成される。
【００４４】
そして、図４、図７に示すように、前記第２基板設置部１２１の後面には、前記第２カバー体８２を固定する固定手段１２２が形成されている。すなわち、前記第２基板設置部１２１における左右の中間位置に、固定手段を構成する第２カバー用固定部１２２が上下方向に離間する複数箇所(実施例では３箇所)に形成されている。具体的には、前記第３収容部５６の側方(具体的には、図３における左側方)に前記第２カバー用固定部１２２が１つ設けられ、前記第１収容部５４の側方(背面視における側左方)に上下に離間して第２カバー用固定部１２２が２つ設けられている。
【００４５】
すなわち、前記第２カバー体８２の被固定部９５に設けた嵌合凹部９５ｂに前記第２基板設置部１２１の第２カバー用固定部１２２を嵌合することにより、第２基板設置部１２１に対して第２カバー体８２を仮止めし得るようになっており、仮止めしたもとで被固定部９５の挿通孔９５ａに後側から挿通した固定ネジを第２カバー用固定部１２２に螺挿することで、第２カバー体８２が第１基板設置部１１１に設置される。そして、前記第２カバー体８２を前記第２基板設置部１２１に設置した状態では、前記第２基板１０２の実装面ＫＦが遊技盤２０の側方(背面視において第１収容部５４と反対側となる左側方)を向くと共に、端子面ＫＲが第１収容部５４側を向くようになっている。そして、前記第２カバー体８２は、前記第１収容部５４および第３収容部５６の左側方に離間する位置に前記第２基板設置部１２１に配設されて、当該第２カバー体８２の上面が前記球貯留部材１９の下面１９ｃに対して対向するようになっている。
【００４６】
ここで、図４，図９、図１０に示すように、前記第２カバー体８２は、前記第１および第３収容部５４,５６に対して側方に離間すると共に、前記第２収容部５５に対して上方に離間するよう前記第２基板設置部１２１に配設される。すなわち、前記第２カバー体８２の周囲に空気循環用の空間が確保されて、第２カバー体８２の放熱孔８２ａや第２カバー体８２の外周板部８５Ｂと第２基板１０２との間の間隙Ｓを介して、第２カバー体８２の内外の空気循環が促進されるようになっている。言い換えると、前記第２基板１０２が横向きとなる姿勢で前記第２カバー体８２を第２基板設置部１２１に設置することで、当該第２基板１０２の実装面ＫＦおよび端子面ＫＲが向く方向(図７における左右方向)の空間を確保して、実装面ＫＦおよび端子面ＫＲが向く両面で効果的に空気循環させ得るようにしている。
【００４７】
ここで、前記第２基板設置部１２１の前側に形成される前記第２の設置前空間部６５は、図８に示すように、前記演出装置３０の右側方に配設した前記第２の普通入賞部４４に連通する球排出路部１１７を配設可能な前後寸法に形成されている。すなわち、前記第２基板設置部１２１は、前記球排出路部１１７の通路幅分だけ前記板部材２０ａの後面から離間する位置に形成されている。すなわち、前記第１基板設置部１１１および第２基板設置部１２１の後面は、同一平面上に位置している。そして、前記第２カバー体８２が配設される前記第２基板設置部１２１を、前記板部材２０ａの後面に近接するよう位置させることで、図１０に示すように、第２基板設置部１２１に設置される前記第２カバー体８２の後端が、前記球貯留部材１９の後端より前側に位置するように構成され、当該球貯留部材１９から零れ落ちたパチンコ球が第２カバー体８２に接触しないよう構成されている。また、前記第２基板設置部１２１には、前記第２カバー体８２の下方位置に、前記排出通路１１７に設けられたセンサ着脱部１１７ａの後方に位置するよう前後に開口するセンサ用挿通口１１５が開設されると共に、当該センサ着脱部１１７ａを塞ぐ蓋部材１１８がセンサ用挿通口１１５に合わせて着脱可能に配設されている、すなわち、前記第２カバー体８２を第２基板設置部１２１から取り外すことなく、蓋部材１１８を取り外すことで開口する前記センサ用挿通口１１５を介して前記センサ着脱部１１７ａに入賞検出センサを着脱し得るようになっている。このとき、前記第２カバー体８２を横向き姿勢で設置してあるから、蓋部材１１８や入賞検出センサの着脱作業に際して第２カバー体８２に手指が干渉することを防ぐことができる。
【００４８】
そして、前記第２基板設置部１２１の前面(第２カバー体８２と反対側)には、図８および図１０に示すように、前記板部材２０ａへ向けて突出する突出部１５０が設けられている。なお、前記第２基板設置部１２１の前面に設けられた突出部１５０の構成は、前述した第１基板設置部１１１の前面に設けられた突出部１５０の構成と基本的に同じであるので、詳細な説明は省略する。すなわち、前記第２の設置前空間部６５は、突出部１５０(第１突壁１５１や第２突壁１５２)により格子状の小さな空間に分断するよう構成されており、第２の設置前空間部６５に対して所定の不正部品が設置されるのを防いでいる。なお、前記第２基板設置部１２１の前面に設けられた突出部１５０は、第２カバー体８１の設置範囲の一部(具体的には上部位置)を第２基板設置部１２１の前側で横切るように構成されている。
【００４９】
図４、図７〜図１０に示すように、前記第２基板設置部１２１には、後方へ突出する支持突部１２３が形成されており、当該支持突部１２３の後端部に、前記第３カバー体８３が設置される前記ベース部材１３１を取り付け得るよう構成される。前記支持突部１２３は、設置状態での前記第２基板１０２の前後寸法より後方まで突出するよう設けられている。実施例では、前記第２基板設置部１２１に設置された前記第２カバー体８２を挟む左右方向の両側(すなわち、前記第２基板１０２の実装面ＫＦおよび端子面ＫＲが向く方向)に、前記支持突部１２３が夫々形成されている。
【００５０】
具体的に、前記第２カバー体８２に保持された第２基板１０２の実装面ＫＦ側には、前記第２基板設置部１２１の側端部(図７の左端部)に１つの支持突部１２３が設けられている。このように、前記第２基板設置部１２１の側端部に位置する図７において左側の支持突部１２３は、前記第２カバー体８２の上下方向の略中間に位置するよう設けられて、当該第２カバー体８２の上部および下部が遊技盤２０の側方に露出するようになっている。すなわち、前記第２カバー体８２の上下方向の略中間に支持突部１２３が位置するよう設けることで、当該第２カバー体８２の下部から外部空気を効率よくカバー内部に取り込み得ると共に、カバー内部で発生した熱を第２カバー体８２の上部から効率よく排出し得るようになっている。また、前記第２カバー体８２に保持された第２基板１０２の端子面ＫＲ側では、前記第２基板設置部１２１において前記第１収容部５４と第３収容部５６との間に、当該第３収容部５６の下方に隣接して支持突部１２３が設けられている。そして、前記第２カバー体８２の端子面ＫＲ側では、当該第２カバー体８２の下部よりも上部位置においてより広い空間が確保されるよう構成されている。すなわち、前記第２カバー体８２の内部で発生した熱を第２基板１０２の端子面ＫＲ側の上部において外部に効率よく排出することができ、当該端子面ＫＲでの空気の循環を促進することができる。また、第２基板１０２において電子部品が実装されることで発熱量が大きくなる実装面ＫＦを、遊技盤２０の側部に露出するよう構成することで、実装面ＫＦおよび端子面ＫＲにおいて効率的な空気循環を実現することができる。
【００５１】
前記支持突部１２３は、図８〜図１０に示すように、前記第２基板設置部１２１から後方へ突出する円筒状の支持台部１２４ａ,１２４ｂと、当該支持台部１２４ａ,１２４ｂの突出端部に設けられて前記ベース部材１３１が固定されるベース用固定部１２５とから構成されている。ここで、前記支持台部１２４ａ,１２４ｂは、前記第２基板設置部１２１との連設基部から突出端部に向かうにつれて、当該支持台部１２４ａ,１２４ｂの直径が縮小するよう構成されており、第２基板設置部１２１およびベース部材１３１の間に画成される空間Ｋを確保し、空気循環を妨げないようにしている。具体的には、前記支持台部１２４ａ,１２４ｂは、前記第２基板設置部１２１に連設する第１台部１２４ａと、当該第１台部１２４ａの端部に連設されて第１台部１２４ａより小径な第２台部１２４ｂとを備えた段差状に形成成されている。なお、前記支持台部１２４ａ,１２４ｂは、前記第２基板設置部１２１との連設基部から突出端部に向かうにつれて連続的に直径が漸減する先細り状に形成してもよく、また直径が縮小する２以上の段差(台部)を有する多段状に形成することも可能である。
【００５２】
ここで、図４に示すように、前記第１収容部５４の後壁部５４ａおよび前記第２収容部５５の後壁部５５ａには、前記第２基板設置部１２１側の端部(図４において第１収容部５４の左側端部および第２収容部５５の左側上端部)に、前記ベース部材１３１を固定するベース用固定部１２６が夫々設けられている。ここで、前記第１および第２収容部５４,５５のベース用固定部１２６は、前記第２基板設置部１２１を基準にして、前記支持突部１２３のベース用固定部１２５と同じ前後位置に位置するよう設けられており、当該支持突部１２３のベース用固定部１２５と、第１および第２収容部５４,５５のベース用固定部１２６とに対して前記ベース部材１３１を固定した状態で、当該ベース部材１３１の取付面１３２(後述)が第２基板設置部１２１と略平行となる安定した姿勢で支持されるようになっている。すなわち、前記設置部材５０において、前記第１収容部５４(段部５８)の後壁部５４ａおよび前記第２収容部５５の後壁部５５ａは、前記ベース部材１３１を支持する支持壁として機能している。なお、前記第１収容部５４のベース用固定部１２６は、前記第１収容部５４における後端周縁部(第１基板設置部１１１および第２基板設置部１２１から後方へ立ち上がる壁部の後端部)に形成された段部５８に設けられている。
【００５３】
(ベース部材１３１について)
図４、図７に示すように、前記ベース部材１３１は、上下に延在する略矩形板状に形成され、前記第３カバー体８３が着脱可能に配設される平面状の取付面(第２取付部)１３２が後面側(第２基板設置部１２１と反対側の面)に設けられている。前記ベース部材１３１は、前記第２基板設置部１２１に配設された前記第２カバー体８２を全体的に覆う大きさに形成されて、当該第２基板設置部１２１とベース部材１３１との間に、空気循環を許容する空間Ｋを画成するよう構成されている。すなわち、該第２基板設置部１２１とベース部材１３１との間に画成される空間Ｋは、前記設置部材５０の上方および側方(図７の左側方)に開放するようになっている。前記ベース部材１３１の外縁部には、前記支持突部１２３のベース用固定部１２５、および前記第１および第２収容部５４,５５のベース用固定部１２６の夫々と前後に整列する位置に、当該ベース用固定部１２５,１２６が固定されるベース被固定部１３３が設けられている。
【００５４】
前記ベース被固定部１３３は、前面側(第２基板設置部１２１側)に、前記ベース用固定部１２５,１２６が嵌合可能な嵌合凹部１３３ａ(図１０参照)が形成されると共に、前後に貫通する挿通孔１３３ｂが形成されており、当該挿通孔１３３ｂに後方から挿通した固定ネジをベース用固定部１２５,１２６に螺挿することで、前記ベース部材１３１が設置部材５０に固定されるようになっている。このように、前記第２基板設置部１２１に設けられた前記支持突部１２３だけでなく、該第２基板設置部１２１に隣接して設けられた第１収容部５４および第２収容部５５によって前記ベース部材１３１を支持することで、当該ベース部材１３１およびベース部材１３１に配設される第３カバー体８３を前記設置部材５０に対して安定して支持し得るようになっている。
【００５５】
ここで、前記設置部材５０に固定された前記ベース部材１３１は、図１０に示すように、当該ベース部材１３１の上端部が前記球貯留部材１９の後端より前側(第２基板設置部１２１側)に位置するように構成されている。すなわち、前記球貯留部材１９から零れ落ちたパチンコ球が前記第２カバー体８２の配設領域(空間Ｋ)側に進入するのをベース部材１３１で防止するよう構成されて、第２カバー体８２に保持された第２基板１０２の端子面ＫＲにパチンコ球が接触して短絡する等の不具合を効果的に防止している。また、前記ベース部材１３１の上端部は、前方から後方(第２基板設置部１２１から離間する方向)に下方傾斜するよう形成されており、前記球貯留部材１９から零れ落ちてベース部材１３１の上端部にパチンコ球が接触した際に、当該パチンコ球を後方へ誘導して前記第２カバー体８２の配設領域(空間Ｋ)側への進入を防止するよう構成されている。
【００５６】
また、図４、図７に示すように、前記第２収容部５５の後壁部５５ａには、前記ベース用固定部１２６の側方(図７の左側方)に隣接して、上下および後方に開口する配線挿通凹部１２８が形成されている。前記配線挿通凹部１２８は、前記第２カバー体８２が配設される空間Ｋで開口すると共に、前記第２収容部５５の後方で開口するよう構成されており、第２基板１０２に接続する配線を、前記空間Ｋから第２収容部５５の後方に挿通して、前記第３カバー体８３の第３基板１０３に接続し得るよう構成されている。また、前記配線挿通凹部１２８の後方開口は、前記ベース部材１３１により塞がれるよう構成されており、当該配線挿通凹部１２８に挿通した配線が配線挿通凹部１２８から外れて、他の部材に引っ掛かる等の不具合が生じないようになっている。
【００５７】
また、図７に示すように、前記ベース部材１３１の取付面１３２には、前記第３カバー体８３を固定する固定手段１３５,１３６が形成されている。すなわち、前記ベース部材１３１の取付面１３２の下部位置に、前記固定手段を形成する下側係合受部１３５が形成されると共に、当該ベース部材１３１の取付面１３２の上部位置に、固定手段を形成する上側係合受部１３６が形成されている。なお、前記下側係合受部１３５および上側係合受部１３６は、前記取付面１３２の上下の端部に位置するよう設けられている。前記下側係合受部１３５は、前記取付面１３２から後方へ突出すると共に、上方に開口するよう差込口１３５ａが形成されており、当該差込口１３５ａを介して下側係合受部１３５の上方から前記第３カバー体８３の係合突部９９を差込み得るようになっている。なお、前記差込口１３５ａの前側の開口縁部は、前記取付面１３２の形成位置に形成され、前記下側係合突部１３５を取付面１３２に沿って差込口１３５ａに挿入し得ると共に、第３カバー体８３を取付面１３２に当接させ得るようになっている。そして、前記上側係合受部１３６は、前記下側係合受部１３５に係合突部９９を差込係合した状態で、前記第３カバー体８３の回転固定具１００と前後に整列する位置に設けられて、当該回転固定具１００の係止部を差込可能な差込口１３６ａが前後に開口する形成されている。ここで、前記回転固定具１００は、作業者の回転操作に伴って、前記上側係合受部１３６の差込口１３６ａに係止部を後方から差込可能な係合解除位置と、当該差込口１３６ａから係止部を抜き出し不能な係合位置とに変位するよう構成されている。
【００５８】
すなわち、前記第３カバー体８３の係合突部９９を前記ベース部材１３１の取付面１３２に設けた下側係合受部１３５に上方から差込係合すると共に、当該第３カバー体８３に設けた回転固定具１００を係合解除位置に変位した状態で、当該取付面１３２の上側係合受部１３６の差込口１３６ａに差し込むことにより、ベース部材１３１に対して第３カバー体８３を仮止めし得るようになっており、仮止めしたもとで回転固定具１００を係合位置に回転変位させることで、第３カバー体８３がベース部材１３１の取付面１３２に設置される。ここで、第３カバー体８３は、前記第３基板１０３の実装面ＫＦに実装される各コネクタ接続部ＣＮがベース部材１３１の下端部側に位置するよう取り付けられて、前記球貯留部材１９からパチンコ球が零れ落ちた際にコネクタ接続部ＣＮに接触しないようになっている。
【００５９】
(実施例の作用)
次に、前述のように構成された実施例に係るパチンコ機１０の作用につき説明する。
【００６０】
前記第１基板１０１を内側に保持した第１カバー体８１は、当該第１カバー体８１に設けた係合突部８８を、前記第１基板設置部１１１に設けた係合受部１１３の差込口１１３ａに上方から差し込んで係合させた状態で、当該第１カバー体８１の被固定部８９の嵌合凹部８９ｂに第１基板設置部１１１の第１カバー用固定部１１２に嵌合することで、当該第１基板設置部１１１に仮止めされる。そして、この状態で前記第１カバー体８１の被固定部８９に設けた挿通孔８９ａの後側から挿通させた固定ネジを、第１基板設置部１１１の第１カバー用固定部１１２に螺挿することで、第１カバー体８１が第１基板設置部１１１に固定される。同様に、前記第２基板１０２を内側に保持した第２カバー体８２は、当該第２カバー体８２に設けた被固定部９５の嵌合凹部９５ｂに前記第２基板設置部１２１の第２カバー用固定部１２２に嵌合することで、当該第２基板設置部１２１に対して仮止めされ、この状態で第２カバー体８２の被固定部９５に設けた挿通孔９５ａの後側から挿通させた固定ネジを、第２基板設置部１２１の第２カバー用固定部１２２に螺挿することで固定される。このように、第１カバー体８１および第２カバー体８２の夫々を、対応する第１基板設置部１１１および第２基板設置部１２１に対して一旦仮止めした後に最終的に固定するようにしたことで、当該基板設置部１１１,１２１に対する第１および第２カバー体８１,８２の取付作業を容易に行うことが可能となる。
【００６１】
そして、前記第３基板１０３を内側に保持した第３カバー体８３を支持する前記ベース部材１３１は、当該ベース部材１３１に設けたベース被固定部１３３の嵌合凹部１３３ａに対して、前記第２基板設置部１２１に設けた支持突部１２３のベース用固定部１２５と、前記第１および第２収容部５４,５５の夫々に設けたベース用固定部１２６に嵌合することで、前記第２基板設置部１２１に対向すると共に前記第２カバー体８２の後方を覆う位置に仮止めされ、この状態でベース被固定部１３３の挿通孔１３３ｂの後側から挿通させた固定ネジを、対応するベース用固定部１２５,１２６の夫々に螺挿することで、当該ベース部材１３１を固定することができる。そして、前記ベース部材１３１に対しては、前記第３カバー体８３に設けた係合突部９９をベース部材１３１の下側係合受部１３５の差込口１３５ａに上方から差し込んで係合させた状態で、係合解除位置に変位した回転固定具１００の係止部をベース部材１３１の上側係合受部１３６の差込口１３６ａに前側から差し込んで係合することで、当該ベース部材１３１に対して第３カバー体８３が仮止めされ、この状態で回転固定具１００を係合解除位置から係合位置に回転変位することで、第３カバー体８３を固定することができる。このように、前記第２カバー体８２の後方を覆う位置に前記ベース部材１３１を一旦仮止めした後に、当該ベース部材１３１を最終的に固定するよう構成し、更に当該ベース部材１３１に対して第３カバー体８３を一旦仮止めした後に最終的に固定するようにしたことで、当該ベース部材１３１や第３カバー体８３の取付作業に関しても容易に行うことが可能となる。
【００６２】
ここで、前記第１基板設置部１１１に第１カバー体８１を配設した際に、前記第１カバー体８１に保持された前記第１基板１０１は、当該基板１０１の実装面ＫＦおよび外周端面が第１カバー体８１で覆われると共に、当該第１カバー体８１における外周板部８５Ａの前端部が第１基板設置部１１１に当接する。このとき、前記第１カバー体８１における外周板部８５Ａの延出端部が前記第１基板設置部１１１に対して全周に亘って当接して、第１基板１０１の端子面ＫＲの全体が第１基板設置部１１１で覆われるから、当該第１基板１０１が第１カバー体８１の外側に露出することはなく、第１基板１０１の損傷を防ぐことができる。また、前記第１基板１０１の端子面ＫＲを覆う板部を前記第１カバー体８１に設ける必要はないから、当該第１基板１０１を第１基板設置部１１１に近づけることができ、第１カバー体８１(第１基板１０１)を設置するために必要となるスペースを抑制することが可能となる。更に、前記第１カバー体８１における外周板部８５Ａの延出端部が前記第１基板設置部１１１に対して全周に亘って当接させて、前記第１カバー体８１により画成される空間を前記第１基板設置部１１１により塞ぐようにすることで、実装面ＫＦおよび端子面ＫＲを覆うケース体に前記第１基板１０１を収容することなく当該第１基板１０１に対する不正行為を抑止することができる。
【００６３】
また、前記第１カバー体８１を第１基板設置部１１１に配設した際に、第１基板１０１の端子面ＫＲから突出するコネクタ接続部ＣＮ等の電子部品の端子ＴＭが第１基板設置部１１１に接触(干渉)しないように構成したことで、第１基板１０１の回路に対するコネクタ接続部ＣＮ等の電子部品の端子ＴＭの接続状態が悪化することはない。そして、前記第１カバー体８１の内側に第１基板１０１を保持した状態で、第１カバー体８１を前記第１基板設置部１１１に設置するようにしたことで、当該第１カバー体８１の設置作業において電子部品が実装された第１基板１０１の実装面ＫＦや外周端面を誤って損傷させることを防ぐことができる。
【００６４】
また、第１基板１０１を保持する第１カバー体８１には、前記第１基板設置部１１１の係合受部１１３差込係合される係合突部８８および第１基板設置部１１１の第１カバー用固定部１１２にネジ固定される被固定部８９の夫々を、当該外周板部８５を挟んで第１基板１０１と反対側に位置するよう設けられている。すなわち、第１カバー体８１の外周板部８５の前端部から係合突部８８や被固定部８９が突出しないから、外周板部８５の全周を第１基板設置部１１１に当接させることができ、設置状態の第１カバー体８１の外側から第１基板１０１にアクセスしようとする
【００６５】
ここで、前記第１基板設置部１１１には、前記第１カバー体８１の設置面とは反対の面側に突出部１５０が設けるようにしたことで、当該第１基板設置部１１１の剛性を高くすることができ、１カバー体８１の外周板部８５Ａとの間に隙間を形成するように第１基板設置部１１１を強制的に変形させることが困難になる。すなわち、第１基板設置部１１１を第１カバー体８１の外周板部８５Ａから強制的に離間させることが困難となるから、第１基板設置部１１１や第１カバー体８１を損傷させることなく当該第１基板設置部１１１に配設された状態の第１カバー体８１の外側から第１基板１０１へアクセスする不正行為を防止できる。
【００６６】
また、前記突出部１５０は、前記第１基板設置部１１１において、前記第１カバー体８１において上下および左右に対向する一対の外周板部８５Ａが当接する部位の壁面裏側(前面側)の間を横切るように設けられている。すなわち、前記第１基板設置部１１１の前面には、前記第１カバー体８１において左右に対向する外周板部８５Ａの間を横切るように突出部１５０を構成する第１突壁１５１が延在し、当該第１カバー体８１において上下に対向する外周板部８５Ａの間を横切るように突出部１５０を構成する第２突壁１５２が延在している。このように、前記第１基板設置部１１１における前記第１カバー体８１の設置範囲に亘って突出部１５０を設けることで、当該第１基板設置部１１１の強制的な変形をより困難にでき、第１カバー体８１に保持された第１基板１０１に対する不正なアクセスを効果的に防ぐことができる。
【００６７】
ここで、前記設置部材５０を透明な樹脂材等により形成して、パチンコ機１０の後方から不正部品が設置されているかを確認し易くした場合に、透過性のない第１基板１０１を保持した第１カバー体８１を第１基板設置部１１１に設置することにより、当該第１基板設置部１１１の前側に位置する第１の設置前空間部の視認性が第１カバー体８１(第１基板１０１)で妨げられることは避けられない。そこで実施例では、前記第１基板設置部１１１と板部材２０ａとの間に画成される前記第１の設置前空間部６４を前記突出部１５０により規定の不正部品を設置不能な格子状の小さな空間に分断するようになっている。すなわち、前記第１カバー体８１の前側に位置する前記第１の設置前空間部６４を前記突出部１５０により分断することで、視認性が妨げられる状況でも当該第１の設置前空間部６４が不正部品を隠すスペースとして利用されるのを防止することができる。
【００６８】
また、前記パチンコ機１０の後側上部に設けられた前記球貯留部材１９の下面１９ｃに、前記第１基板設置部１１１に設置した第１カバー体８１の上面が対向すると共に、当該第１カバー体８１の後端が球貯留部材１９の後端より前側に位置するよう構成してあるから、球貯留部材１９から零れたパチンコ球が第１カバー体８１の上面に直接落下するのを防ぐことができ、パチンコ球が強い衝突力で第１カバー体８１に接触するのを防止できる。すなわち、球貯留部材１９から零れたパチンコ球が第１カバー体８１に接触する可能性を小さくして、当該接触に伴う第１カバー体８１の損傷を防ぐことができる。また、前記第１カバー体８１の後端を球貯留部材１９の後端より前側に位置するように構成することで、当該第１カバー体８１の後方の空間を他の部品の設置スペースとして有効活用することもでき、パチンコ機１０の裏側(遊技盤２０の裏側)におけるスペース効率向上に寄与し得る。
【００６９】
また、前記設置部材５０には、前記第２基板設置部１２１に対して支持突部１２３の延在方向(前後方向)に重なるように前記ベース部材１３１が配設されて、当該第２基板設置部１２１とベース部材１３１との間に画成される空間Ｋに、前記第２カバー体８２が配置されると共に、当該第２カバー体８２の後方に重なるよう当該ベース部材１３１の取付面１３２に第３カバー体８３が配置される。このように、前記設置部材５０に対して第２カバー体８２および第３カバー体８３を支持突部１２３の延在方向に重ねて配置できるから、支持突部１２３の延在方向と交差する左右方向のスペースを確保することができる。すなわち、前記第２カバー体８２の周囲にスペースを確保しつつ、第３カバー体８３の設置スペースを確保することができ、基板１０２,１０３を保持する複数のカバー体８２,８３の配置を適正化することが可能となる。
【００７０】
また、前記第２基板設置部１２１とベース部材１３１との間の空間Ｋを、設置部材５０の上方および側方(図７の左側方)に開放するよう構成したことで、前記第２カバー体８２(第２基板１０２)で発生した熱を拡散させて、第２カバー体８２の周囲に熱が篭もるのを効果的に防止することができ、熱による第２基板１０２の異常を防ぐことができる。また、前記第２基板１０２が横向きとなる姿勢で前記第２カバー体８２を第２基板設置部１２１に設置するようにしたことで、当該第２基板１０２の実装面ＫＦ側および端子面ＫＲ側の夫々で空気が循環する空間を確保することができ、第２基板１０２の熱を効率よく分散させ得る。
【００７１】
そして、前記第２カバー体８２を第２基板設置部１２１に配設した状態では、前記第２基板１０２の実装面ＫＦが前記設置部材５０の側方に開口する前記空間Ｋの開放側に向くように構成されているから、第２基板設置部１２１とベース部材１３１との間に第２カバー体８２を設置するよう構成しても、ベース部材１３１を取り外すことなく第２カバー体８２に保持された第２基板１０２の実装面ＫＦを目視により容易に点検することができる。また、前記第２基板１０２の実装面ＫＦには、接続口が実装面ＫＦから離間する方向(鉛直方向)を向く姿勢でネクタ接続部ＣＮが配設され、設置部材５０の側方に開口する前記空間Ｋの開放側に、当該コネクタ接続部ＣＮの接続口が向くよう構成してあるから、設置部材５０とベース部材１３１との間に位置する第２基板１０２のコネクタ接続部ＣＮに対して、ベース部材１３１を取り外すことなく配線のコネクタを容易に着脱し得る構成とすることができる。
【００７２】
また、前記ベース部材１３１を支持する前記支持突部１２３を、前記第２基板設置部１２１との連設基部から突出端部に向かうにつれて直径が縮小するよう形成することで、前記空間Ｋの容量を大きくして熱が籠もるのを効果的に防止できる。また、前記支持突部１２３の直径が縮小することで、設置部材５０の側方や上方からの空間Ｋ内の視認性が当該支持突部１２３により阻害されにくくなるから、前記ベース部材１３１や第３カバー体８３を取り外すことなく空間Ｋ内に位置する第２カバー体８２の状態を確認し易くなる。
【００７３】
更に、前記ベース部材１３１の上端部が前記球貯留部材１９の後端より前側(第２基板設置部１２１側)に位置するよう配置したことで、上方に開口する空間Ｋ内に球貯留部材１９から零れ落ちたパチンコ球が入り込むのを防ぐことができる。これにより、第２基板１０２の端子面ＫＲを空間Ｋに露出する状態で第２カバー体８２に保持して放熱効果を高めつつ、当該端子面ＫＲにパチンコ球が接触して短絡する等の不具合を防止できる。
【００７４】
また、前記第２基板設置部１２１より後方へ突出するよう設けられた前記第１収容部５４(段部５８)の後壁部５４ａおよび第２収容部５５の後壁部５５ａに前記ベース用固定部１２６を設けて、当該第１および第２収容部５４,５５の後壁部５４ａ,５５ａに前記ベース部材１３１を支持するようにしたことで、筒状の支持突部１２３に設けたベース用固定部１２５だけでベース部材１３１を支持する構成と比べてベース部材１３１を設置部材５０に対して安定して支持することができる。また、演出装置３０を収容する第１収容部５４や、複合入賞装置３３を収容する第２収容部５５の周縁部を、ベース部材１３１を支持する支持部として利用することで、当該ベース部材１３１を支持するための構成を簡略化することができ、設置部材５０の形状の複雑化を防止することができる。また、第２基板１０２の端子面ＫＲが前記第１収容部５４に対向することで、前記空間Ｋ内で露出する当該端子面ＫＲを保護することに寄与し得る。
【００７５】
(変更例)
本発明は、前述の実施例に限定されず、以下の如く変更することも可能である。
(１)  実施例では、設置部材５０において遊技領域形成部材(板部材２０ａ)に対向する壁部を基板設置部として基板保持部材(カバー体８１,８２)を配設するよう構成したが、これに限られるものではない。すなわち、において遊技領域形成部材の後面に交差する方向に延在する設置部材の外周壁部に基板設置部を設けて、当該外周壁部に対して基板の端子面ＫＲ(他方の基板面)が対向する姿勢で基板保持部材(カバー体８１,８２)を配設するようにしてもよい。すなわち、設置部材の外周壁部に基板設置部を設けて基板保持部材を設置することで、設置部材の後方にスペースを確保することができる。このため、設置部材に前後の深さのある収容空間を画成することができる。なお、基板設置部設ける外周壁部としては、設置部材の上下左右の何れの壁部であってもよい。
(２)  実施例では、第１基板(基板)の実装面(一方の基板面)に全ての電子部品を実装したが、少なくともコネクタ接続部を実装面に配置するようにしてもよい。また、コネクタ接続部を実装面および端子面の夫々に設けることもできる。
(３)  実施例では、基板設置部に設置した基板保持部材(第１カバー体８１)における外周板部の延出端部が当該基板設置部に対して全周に亘って当接するように構成したが、外周板部の延出端部の少なくとも一部が基板設置部から離間するように構成してもよい。
(４)  実施例では、基板設置部の前面に格子状の突出部を設け、当該突出部および板部材(基板設置部に対向する部材)との間に画成される空間部を突出部により複数の小空間に分断して、当該空間部への所定の不正部品の設置を防止するよう構成したが、不正部品が設置不能となる程度に占有す突出部が空間部を占有(充塞)するように構成してもよい。すなわち、突出部としては、実施例のように格子状に形成されている必要はなく、棒状或いはブロック状に突出するよう形成したり、井桁状のように格子とは異なる模様をなすように形成したり、ランダムな壁部により形成することもできる。
(５)  実施例では、突出部を形成する格子状の第１および第２突壁は、基板保持部材の上下および左右に対向する一対の外周板部が当接する部位の壁面裏側の間を横切るように連続的に延在するよう設けたが、当該第１および第２突壁の何れか一方のみを連続的に延在するよう構成してもよい。また、第１および第２突壁を断続的に設けることもできる。
(６)  実施例では、基板保持部材(第２カバー体８２を)を横向き姿勢で基板設置部に配設したが、当該基板保持部材に保持した基板の基板面(端子面)が基板設置部に対向する姿勢で配設するようにしてもよい。すなわち、基板保持部材として実施例の第１カバー体８１の後方に重なるように基板設置部材としてベース部材１３１を配設して、当該第１カバー体８１とベース部材１３１との間に空間Ｋを画成するようにしてもよい。
(７)  実施例では、設置部材に設けた収容部を利用して基板設置部材を支持するよう構成したが、当該設置部材に基板設置部材を支持するために設けた支持部(支持突部１２３)のみで当該基板設置部材を支持するようにしてもよい。
(８)  実施例では、基板設置部(第２基板設置部１２１)と基板設置部材(ベース部材１３１)との間に画成される空間Ｋの開放側に、当該空間Ｋに配設された基板(第２基板１０２)の実装面ＫＦを向けて、当該実装面ＫＦを視認可能に構成したが、空間Ｋの開放側に基板の端子面を向けるようにしてもよい。この場合には、基板の端子面側での空気の循環をより効率的になし得る。
(９)  実施例では、基板設置部に設置された基板保持部材(第１および第２カバー体８１,８２)の上面が、球貯留部材の下面に対向すると共に、基板保持部材の後端が、球貯留部材の後端より前側に位置するよう構成したが、球貯留部材と基板保持部材の間に他の部材が介在するよう構成してもよいし、基板保持部材の後端が球貯留部材の後端より後側に位置するよう構成してもよい。
(１０)  実施例では、遊技機の１種であるパチンコ機を例として説明したが、遊技メダルを遊技媒体として用いるスロットマシンに本発明を採用してもよい。
【符号の説明】
【００７６】
１２  中枠(本体枠)
１９  球貯留部材(球貯留部材)
１９ｃ  球貯留部材の下面
２０  遊技盤
２０ａ  板部材(遊技領域形成部材)
５０  設置部材
５２  外周壁部
６０  収容空間
６４  第１の設置前空間部(空間)
８１  第１カバー体(基板保持部材)
８４Ａ  被覆板部
８５Ａ  外周板部
８８  被固定部
８９  被固定部
１０１  第１〜第３基板(基板)
１１１  第１基板設置部(基板設置部)
１５０  突出部
ＫＦ  基板の実装面(一方の基板面)
ＫＲ  基板の端子面(他方の基板面)
ＣＮ  コネクタ接続部
【図１】
0006317238.tif 000002
【図２】
0006317238.tif 000003
【図３】
0006317238.tif 000004
【図４】
0006317238.tif 000005
【図５】
0006317238.tif 000006
【図６】
0006317238.tif 000007
【図７】
0006317238.tif 000008
【図８】
0006317238.tif 000009
【図９】
0006317238.tif 000010
【図１０】
0006317238.tif 000011